(57)【要約】      （修正有）【課題】防止又は矯正中であることが目立たず、屋内、屋外と継続して使用し続けることができる外反母趾又は内反小趾の防止又は矯正をし、着脱自在なため履物を選ぶことなく使用できる外反母趾又は内反小趾の防止又は矯正をする矯正具と矯正具を有する履物の提供。【解決手段】外反母趾又は内反小趾の防止又は矯正をする矯正具１において、足裏の足指と足裏の母趾球１０ａ、小趾球１０ｃ、及び中央球１０ｂの間に位置する足裏空間部２０に置かれ、矯正具１を支える足載せベース部と足載せベース部の上面に足載せベース部と一体に立設され、母趾と第二趾の間に挟まれ、母趾の位置を矯正する第一挟入柱と、ベース部の上面に足載せベース部と一体に立設され、小趾と第四趾の間に挟まれ、小趾の位置を矯正する第二挟入柱とを有する外反母趾又は内反小趾の防止又は矯正をする矯正具。【選択図】図１
0003128227.tif 000002
【実用新案登録請求の範囲】
【請求項１】
外反母趾及び／又は内反小趾の防止又は矯正をする矯正具（１，１０１，２０１，３０１）において、
足裏の足指と、前記足裏の母趾球（１０ａ）、前記足裏の小趾球（１０ｃ）、及び前記母趾球（１０ａ）と前記小趾球（１０ｃ）の間に位置する中央球（１０ｂ）との間に位置する足裏空間部（２０）に配置され、前記矯正具（１，１０１，２０１，３０１）を支える足載せベース部（２，２０２）と、
前記足載せベース部（２，２０２）の上面に前記足載せベース部（２，２０２）と一体に立設され、かつ、母趾（１１）と第二趾（１２）の間に挟まれ、前記母趾（１１）の位置を矯正する第一挟入柱（３，１０３，２０３）と、
前記足載せベース部（２，２０２）の上面に前記足載せベース部（２，２０２）と一体に立設され、かつ、小趾（１５）と第四趾（１４）の間に挟まれ、前記小趾（１５）の位置を矯正する第二挟入柱（４，１０４，２０４）と
を有する外反母趾及び／又は内反小趾の防止又は矯正をする矯正具。
【請求項２】
請求項１に記載された外反母趾及び／又は内反小趾の防止又は矯正をする矯正具（１，１０１，２０１，３０１）において、
前記足載せベース部（２，２０２）は、幅方向の寸法が、使用者の足幅と略同一である
ことを特徴とする外反母趾及び／又は内反小趾の防止又は矯正をする矯正具。
【請求項３】
請求項２に記載された外反母趾及び／又は内反小趾の防止又は矯正をする矯正具（１，１０１，２０１，３０１）において、
前記第一挟入柱（３，１０３，２０３）は、略楕円柱であり、この楕円柱の長径が、使用者の前記母趾（１１）の付根から指先の長さと略同一である
ことを特徴とする外反母趾及び／又は内反小趾の防止又は矯正をする矯正具。
【請求項４】
請求項３に記載された外反母趾及び／又は内反小趾の防止又は矯正をする矯正具（１，１０１，２０１，３０１）において、
前記第二挟入柱（４，１０４，２０４）は、略楕円柱であり、この楕円柱の長径が、使用者の前記小趾（１５）の付根から指先の長さと略同一である
ことを特徴とする外反母趾及び／又は内反小趾の防止又は矯正をする矯正具。
【請求項５】
請求項１から４の中から選択されるいずれか１項に記載された外反母趾及び／又は内反小趾の防止又は矯正をする矯正具（１，１０１，２０１，３０１）において
前記矯正具は、ポリウレタン、アクリル糸発泡樹脂、ポリアミド、本皮、エチレン酢酸ビニル共重合体樹脂、ポリエステル、ポリプロピレンから選択される１種以上の材料で形成されている
ことを特徴とする外反母趾及び／又は内反小趾の防止又は矯正をする矯正具。
【請求項６】
請求項５に記載された外反母趾及び／又は内反小趾の防止又は矯正をする矯正具（１，１０１，２０１，３０１）において
前記足載せベース部（２，２０２）は、ベース裏面（２ｇ）が摩擦係数を大きくするために凹凸形状にしている
ことを特徴とする外反母趾及び／又は内反小趾の防止又は矯正をする矯正具。
【請求項７】
請求項５に記載された外反母趾及び／又は内反小趾の防止又は矯正をする矯正具（１，１０１，２０１，３０１）において
前記足載せベース部（２，２０２）は、前記ベース裏面（２ｇ）に接着剤が設けられているものである
ことを特徴とする外反母趾及び／又は内反小趾の防止又は矯正をする矯正具。
【請求項８】
請求項１から７の中から選択されるいずれか１項に記載された外反母趾及び／又は内反小趾の防止又は矯正をする矯正具（１，１０１，２０１，３０１）を有した履物であって、
前記矯正具（１，１０１，２０１，３０１）は、履物に固定可能なものである
ことを特徴とする外反母趾及び／又は内反小趾の防止又は矯正をする矯正具を有した履物。
【考案の詳細な説明】
【技術分野】
【０００１】
本考案は、外反母趾及び／又は内反小趾を防止又は矯正する矯正具とそれを有する履物に関する。更に詳しくは、履物を履いた状態で使用できる外反母趾及び／又は内反小趾を防止又は矯正する矯正具とそれを有する履物に関する。
【背景技術】
【０００２】
外反母趾とは、足の親指が変形して小指側に曲がってしまう症状をいい、内反小趾とは、足の小指が変形して親指側に曲がってしまう症状をいう。外反母趾又は内反小趾は、もともとの体の柔らかさに加え、ハイヒール等の先が細い履物を好んで履く等の原因により、特に女性に特に多く見られる症状である。
【０００３】
従来の外反母趾又は内反小趾を防止したり、又は矯正したりする矯正具には、いろいろなものが提案されている。その一例として、木製の足載せ板の、足の第１趾と第２趾との間及び第４趾と第５趾との間に位置する部分に形成した穴に、それぞれ両趾の間に挟むための拡開部材を着脱自在に差し込み、足載せ板に足の甲を締めるバンドと、踵の上側部位を締めるバンドとを取付け、足載せ板の裏面に緩衝材を取付けたものが知られている（例えば、特許文献１参照。）。
【０００４】
また、靴下本体の開口端部にバンドを取付け、足に対して押圧力を与えるリブ部を対象部位に当接し、矯正用の押圧力を装着中常に与えられると共に、装着開始時からの装着感を変化させずに維持でき、歩行姿勢への悪影響もないものが知られている（例えば、特許文献２参照。）。
【０００５】
また、外反母趾の症状を有する足の第一指と第二指間、及び該第二指と第三指間と第四指間に柱状クッション体を装着し保護シートホルダと外側から横中足靭帯を緩締する緩締バンドを組合せて有する矯正具が知られている（例えば、特許文献３参照。）。
【０００６】
【特許文献１】特開２００１−３７５０４号公報
【特許文献２】特開２００３−１９０１９８号公報
【特許文献３】特開平０７−２４１３０７号公報
【考案の開示】
【考案が解決しようとする課題】
【０００７】
しかしながら、特許文献１の外反母趾・内反小趾防止具には、外反母趾及び／又は内反小趾の防止又は矯正のための効力が継続的に得られないという問題点が生じた。つまり詳しくは、外反母趾及び／又は内反小趾を防止又は矯正する器具には、木製の足載せ板に両趾の間に挟むための拡開部材を着脱自在に差し込んだ足載せ板などもある。しかし、女性は、症状を他人に知られることを気にするため、外反母趾又は内反小趾である患部が露出し、外反母趾及び／又は内反小趾を防止又は矯正していることが明らかにわかるような足載せ板を好んで履かないという問題点が生じた。また、木製の足載せ板は、屋外用に作られたものであり、屋内にいるときには、他の防止又は矯正のための器具を使用しないと防止又は矯正のための効力が継続的に得られないという問題点が生じた。
【０００８】
また、特許文献２の矯正用靴下には、外反母趾及び／又は内反小趾の防止又は矯正のための効力が継続的に得られないという問題点、また、蒸れが生じやすいという問題点が生じた。つまり詳しくは、外反母趾及び／又は内反小趾を防止又は矯正する器具には、靴下本体の開口端部にバンドを取付け、足に対して押圧力を与えるリブ部を対象部位に当接する靴下がある。しかし、この靴下は、デザイン性に優れておらず、見た目に外反母趾の防止又は矯正を行っていることがすぐにわかってしまう。このため、特に女性は、屋内であれば使用することもあろうが、外出時ともなると好んで使用しない。これにより防止又は矯正のための効力が継続的に得られないという問題点が生じた。また、この靴下は、リブ部に強い締付け力があるため、足に密着することにより蒸れが生じやすいという問題点が生じた。
【０００９】
さらに、特許文献３の足の矯正具構造には、外反母趾及び／又は内反小趾の防止又は矯正のための効力が継続的に得られないという問題点、また、蒸れが生じやすいという問題点が生じた。つまり詳しくは、外反母趾又は内反小趾を防止又は矯正する器具には、靴下本体の開口端部にバンドを取付け、足に対して押圧力を与えるリブ部を対象部位に当接したものがある。しかし、このバンドは、足指付根付近で足を巻くため、使用中に違和感を覚える。また、バンドを巻いていることが見て取れるため、特に女性は、患部や、防止又は矯正中であることをなるべく知られたくないため外出時には好んで使用しない。このため防止又は矯正のための効力を継続的に得られづらいという問題点が生じた。さらに足に密着しているため蒸れが生じるという問題点が生じた。
【００１０】
特許文献１から３の技術は、前述したような問題点が生じるものであり、外反母趾、内反小趾に関する問題を確実に解決するものではなかった。そこで、防止又は矯正中であることが目立たず、屋内（室内）、屋外と継続して使用し続けることができ、着脱自在な外反母趾又は内反小趾の防止及び／又は矯正をする矯正具の開発が望まれていた。
【００１１】
本考案は、上述したような技術背景に基づき、従来の問題点を解決するためになされたもので、次の目的を達成する。
本考案の目的は、防止又は矯正中であることが目立たず、屋内、屋外と継続して使用し続けることができる外反母趾及び／又は内反小趾の防止又は矯正をする矯正具の提供にある。
また、本考案の他の目的は、着脱自在なため履物を選ぶことなく使用できる外反母趾及び／又は内反小趾の防止又は矯正をする矯正具の提供にある。
【課題を解決するための手段】
【００１２】
本考案は、上述した目的を達成するために次の手段をとる。
本考案１の外反母趾及び／又は内反小趾の防止又は矯正をする矯正具は、外反母趾及び／又は内反小趾の防止又は矯正をする矯正具（１，１０１，２０１，３０１）において、足裏の足指と、前記足裏の母趾球（１０ａ）、前記足裏の小趾球（１０ｃ）、及び、前記母趾球（１０ａ）と前記小趾球（１０ｃ）の間に位置する中央球（１０ｂ）との間に位置する足裏空間部（２０）に配置され、前記矯正具（１，１０１，２０１，３０１）を支える足載せベース部（２，２０２）と、前記足載せベース部（２，２０２）の上面に前記足載せベース部（２，２０２）と一体に立設され、かつ、母趾（１１）と第二趾（１２）の間に挟まれ、前記母趾（１１）の位置を矯正する第一挟入柱（３，１０３，２０３）と、前記足載せベース部（２，２０２）の上面に前記足載せベース部（２，２０２）と一体に立設され、かつ、小趾（１５）と第四趾（１４）の間に挟まれ、前記小趾（１５）の位置を矯正する第二挟入柱（４，１０４，２０４）とを有している。
【００１３】
本考案２の外反母趾及び／又は内反小趾の防止又は矯正をする矯正具（１，１０１，２０１，３０１）は、本考案１において、
前記足載せベース部（２，２０２）は、幅方向の寸法が、使用者の足幅と略同一であることを特徴とする。
【００１４】
本考案３の外反母趾及び／又は内反小趾の防止又は矯正をする矯正具（１，１０１，２０１，３０１）は、本考案２において、
前記第一挟入柱（３，１０３，２０３）は、略楕円柱であり、この楕円柱の長径が、使用者の前記母趾（１１）の付根から指先の長さと略同一であることを特徴とする。
【００１５】
本考案４の外反母趾及び／又は内反小趾の防止又は矯正をする矯正具（１，１０１，２０１，３０１）は、本考案３において、
前記第二挟入柱（４，１０４，２０４）は、略楕円柱であり、この楕円柱の長径が、使用者の前記小趾（１５）の付根から指先の長さと略同一であることを特徴とする。
【００１６】
本考案５の外反母趾及び／又は内反小趾の防止又は矯正をする矯正具（１，１０１，２０１，３０１）は、本考案１から４の中から選択されるいずれか１つにおいて、
前記矯正具は、ポリウレタン、アクリル糸発泡樹脂、ポリアミド、本皮、エチレン酢酸ビニル共重合体樹脂、ポリエステル、ポリプロピレンから選択される１種以上の材料で形成されていることを特徴とする。
【００１７】
本考案６の外反母趾及び／又は内反小趾の防止又は矯正をする矯正具（１，１０１，２０１，３０１）は、本考案５において、
前記足載せベース部（２，２０２）は、ベース裏面（２ｇ）が摩擦係数を大きくするために凹凸形状にしていることを特徴とする。
【００１８】
本考案７の外反母趾及び／又は内反小趾の防止又は矯正をする矯正具（１，１０１，２０１，３０１）は、本考案５において、
前記足載せベース部（２，２０２）は、前記ベース裏面（２ｇ）に接着剤が設けられているものであることを特徴とする。
【００１９】
本考案８の外反母趾及び／又は内反小趾の防止又は矯正をする矯正具（１，１０１，２０１，３０１）を有した履物は、本考案１から７において、
前記矯正具（１，１０１，２０１，３０１）は、履物に固定可能なものであることを特徴とする。
【考案の効果】
【００２０】
以上、説明したように、本考案の外反母趾及び／又は内反小趾の防止又は矯正をする矯正具は、足載せベース部を足指空間部の形に合わせ、その幅を足幅と略同一にしたことにより防止又は矯正中であることが目立たないため、屋外、屋内を問わず継続的に使用し続けることができる。
また、外反母趾又は内反小趾の防止又は矯正をする矯正具は、着脱自在なため履物を選ぶことなく、屋外、屋内を問わずに継続的に使用することができる。
【考案を実施するための最良の形態】
【００２１】
以下、本考案について、図面をもとに、その実施の形態を詳細に説明する。
図１は、本考案の実施の形態を示す外反母趾及び／又は内反小趾の防止又は矯正をする矯正具の斜視図、図２は、本実施の形態を示す足の甲側から見た平面図であり、図３は、本実施の形態の矯正具を足の裏側から見た底面図で、図４は、本実施の形態の矯正具の側面図である。
【００２２】
本実施の形態に係る矯正具１は、足裏の足指の付け根から足指先に生じる足指空間２０に設置される足載せベース部２と、足載せベース部２のベース上中央面２ａとベース上左面２ｂの間より立設された第一挟入柱３と、足載せベース部２のベース上中央面２ａとベース上右面２ｃの間より立設された第二挟入柱４とで構成されている。
【００２３】
本実施の形態に係る矯正具１は、比較的軽度の外反母趾若しくは内反小趾の防止又は矯正を行う人に使用することを目的としており、弾力性があり、滑り止めの効果のあるＥＶＡ樹脂（エチレン酢酸ビニル共重合体樹脂）で形成されている。なお、矯正具１は、ＥＶＡ樹脂に限られず、他の材料例えば、ポリウレタン発泡体、アクリル糸発泡樹脂、ポリアミド（ナイロン）、ナイロン・ポリウレタン、本皮、又はポリエステル等を用いてもよい。そして、重度の外反母趾又は内反小趾の防止又は矯正を行う人用として比較的硬質な材料、例えばポリプロピレン等の材料で形成されたものであってもよい。
また、足指は、履物等を履き、さらに靴下等を履くことにより蒸れやすく、カビ等の増殖により水虫になり悪臭を発することがある。そのため、矯正具１に防かび、防臭処理を施したり、殺菌処理を施してもよい。
【００２４】
足載せベース部２は、足裏の足指の付け根から足指先に生じる足指空間２０に置かれる。足指は、一般的に自然な状態で上側にやや彎曲しており、足を水平面に載せた状態で楔上骨突起と中足骨底部にあたる足指基部下側に若干の足指空間２０が生じる。足載せベース部２は、足指空間２０と略同一の形状が好ましい。
【００２５】
本実施の形態においては、足載せベース部２の幅方向の寸法が、使用者の足幅と略同一のものとしている。足載せベース部２の幅方向の寸法は、スリッパなどの使用者の足幅より広い幅を持つ履物の場合には使用者の足幅より広くてもよい。しかし、一般の履物の幅は、足幅と略同一であるため、矯正具１をつけたまま様々な履物に履き替え使用することを前提とすると、足載せベース部２の幅方向の寸法と足幅とは、略同一の幅とすることが好ましい。
【００２６】
本実施の形態においては、足載せベース部２の奥行きが、使用者の足指空間２０の奥行き方向の寸法と略同一になるようにしている。足載せベース部２の奥行き方向の寸法は、足指空間２０の奥行きが各足指ごとに異なるので足指ごとの足指空間２０の奥行きに合わせて足載せベース部２の奥行き方向の寸法を変える構成にしてもよい。また、足裏は、クッション作用を有するため適度な脂肪がついており弾性変形をするので、足載せベース部２を足指空間２０より大きめの構成にしてもよい。足載せベース部２を足指空間２０より大きめの構成にすることにより、足指の足指先、足指の付け根、母趾球１０ａ、中央球１０ｂ、又は小趾球１０ｃ等が、歩行のたびに痛みを伴わない適度な刺激を受ける。
【００２７】
本実施の形態において、足載せベース部２は、足指空間２０の形態に合わせて形成されている。つまり、詳しくは、足載せベース部２の母趾球接面２ｄは、足裏の第一趾といわゆる土踏まず１０ｄの間にある母趾球１０ａの形態に合わせアーチ状に形成している。また、母趾球接面２ｄは、ベース上左面２ｂから踵に向かう方向（Ｂ方向）にかけて足裏の母趾球１０ａの形態に合わせて滑らかなスロープを形成している。
【００２８】
本実施の形態において、ベース上左面２ｂと母趾球接面２ｄの間の境界は、面取りを行わず角張った構成となっている。しかし、本実施の形態に限られずベース上左面２ｂと母趾球接面２ｄの間の境界に面取りを行い丸みを帯びた滑らかな形状としてもよい。ベース上左面２ｂと母趾球接面２ｄの間の境界における面取りの有無により歩いたときに生じる足指に対する刺激の度合いが調整できる。
【００２９】
足載せベース部２の中央球接面２ｅは、足裏の第二趾１２、第三趾１３及び第四趾１４といわゆる土踏まず１０ｄの間にあり、さらに母趾球１０ａと小趾球１０ｃの間に位置する中央球１０ｂの形態に合わせアーチ状に形成している。また、中央球接面２ｅは、ベース上中央面２ａから踵に向かう方向（Ｂ方向）にかけて足裏の母趾球の形態に合わせて滑らかなスロープを形成している。
【００３０】
本実施の形態において、ベース上中央面２ａと中央球接面２ｅの間の境界は、面取りを行わず角張った構成となっている。しかし、本実施の形態に限られずベース上中央面２ａと中央球接面２ｅの間の境界に面取りを行い丸みを帯びた滑らかな形状としてもよい。ベース上中央面２ａと中央球接面２ｅの間の境界における面取りの有無により歩いたときに生じる足指に対する刺激の度合いが調整できる。
【００３１】
足載せベース部２の中央球接面２ｅは、足裏の第二趾１２、第三趾１３及び第四趾１４といわゆる土踏まず１０ｄの間にある中央球１０ｂの形態に合わせアーチ状に形成している。また、小趾球接面２ｆは、ベース上右面２ｃから踵に向かう方向（Ｂ方向）にかけて足裏の母趾球の形態に合わせて滑らかなスロープを形成している。
【００３２】
本実施の形態において、ベース上右面２ｃと小趾球接面２ｆの間の境界は、面取りを行わず角張った構成となっている。しかし、本実施の形態に限られずベース上右面２ｃと小趾球接面２ｆの間の境界に面取りを行い丸みを帯びた滑らかな形状としてもよい。ベース上右面２ｃと小趾球接面２ｅの間の境界における面取りの有無により歩いたときに生じる足指に対する刺激の度合いが調整できる。
【００３３】
本実施の形態において、ベース上中央面２ａと足指先中央接面２ｉの間の境界、ベース上左面２ｂと足指先左接面２ｈの間の境界、及びベース上右面２ｃと足指先右接面２ｊの間の境界は、面取りを行わず角張った構成となっている。しかし、本実施の形態に限られず前記境界に面取りを行い丸みを帯びた滑らかな形状としてもよい。境界における面取りの有無により歩いたときに生じる足指に対する刺激の度合いが調整できる。
【００３４】
本実施の形態において、矯正具１は、ＥＶＡ樹脂を用いておりそれ単体で若干の滑り止め効果を有しているため、ベース部裏面２ｇを平滑な面に形成している。しかし、本実施の形態に限られず、例えば矯正具１が比較的硬質なポリプロピレンで構成されているような場合ベース部裏面２ｇを摩擦係数が大きい滑り止め効果を有する形態にすることもできる。例えば、ベース部裏面２ｇに複数の溝をいれたり、複数の溝を交差するようにいれたりすることによりベース部裏面２ｇを凹凸形状にしてもよい。
【００３５】
本実施の形態において、矯正具１は、履物を履き替えても使用できることを前提としている。しかし、一の履物に常に矯正具１を使用する場合は、ベース部裏面２ｇに接着シール、両面テープ等を使用して履物に固着して使用することも可能である。
【００３６】
第一挟入柱３は、足載せベース部２のベース上左面２ｂとベース上中央面２ａの間に足載せベース部２と一体に立設され、その形状は、踵側から指先側にかけて長径を有する平面視楕円形状である。本実施の形態における第一挟入柱３の長径の寸法は、母趾１１の付根から指先までの長さと略同一であり、足載せベース部２の奥行きより長く足載せベース部２より指先に向かう方向（Ａ方向）側に突出した形状となっている。本実施の形態に限られず、第一挟入柱３の長径の寸法は、母趾１１の付根から指先までの長さより短くてもよい。しかし、第一挟入柱の長径の寸法は、母趾１１全体をまんべんなく矯正するため、母趾１１の第二趾側側面全体が、第一挟入柱３に支えられるように母趾１１の付根から指先までの長さと同様か、それ以上の長さを有することがよい。
【００３７】
また、本実施の形態における第一挟入柱３の高さの寸法は、足を足載せベース部２に載せたときの母趾１１の高さと略同一の高さとなっている。本実施の形態に限られず、第一挟入柱３の高さの寸法は、足を足載せベース部２に載せたときの母趾１１の高さより低くともよい。しかし、第一挟入柱３の高さの寸法は、母趾１１全体をまんべんなく矯正するため、母趾１１の第二趾側側面全体が、第一挟入柱３に支えられるように母趾１１の高さと同様か、それ以上の高さを有することがよい。
【００３８】
本実施の形態における第一挟入柱３は、平面視縦長の楕円形状をしている。しかし、本実施の形態に限られることなく、第一挟入柱３は、母趾１１と第二趾１２の間に挟むことができれば他の形態でもよい。
また、本実施の形態において、第一挟入柱３は、軽度の外反母趾の場合又は外反母趾の予防を想定して形成しているため、その楕円形状の長径の向きを正常なときの母趾１１の指先方向と略平行の向きに構成している。しかし、本実施の形態に限られることなく、外反母趾を単に予防をするに過ぎないような状況を想定している場合には、第一挟入柱３は、その楕円形状の長径の向きを第二趾１２側に傾けた形状に形成してもよい。また、外反母趾の進行が進んでおり重度な矯正が必要な場合には、第一挟入柱３は、その楕円形状の長径の向きを踵側から指先側にかけて第二趾側から母趾側に傾けた形状に形成してもよい。
【００３９】
第二挟入柱４は、足載せベース部２のベース上右面２ｃとベース上中央面２ａの間に足載せベース部２と一体に立設される。第二挟入柱４は、第四趾１４の付根から指先までの長さと略同一であり、ベース部の奥行きより長くベース部より突出した形状となっている。
第二挟入柱４は、足載せベース部２のベース上右面２ｃとベース上中央面２ａの間に足載せベース部２と一体に立設され、その形状は、踵側から指先側にかけて長径を有する平面視楕円形状である。本実施の形態における第二挟入柱４の長径の寸法は、小趾１５の付根から指先までの長さよりも長い第四趾と略同一の長さであり、足載せベース部２の奥行きより長く足載せベース部２より突出した形状となっている。本実施の形態に限られず、第二挟入柱４の長径の寸法は、小趾１５の付根から指先までの長さより短くてもよい。しかし、第二挟入柱４の長径の寸法は、小趾１５全体をまんべんなく矯正するため、小趾１５の第四趾側側面全体が、第二挟入柱４に支えられるように小趾１５の付根から指先までの長さと同様か、それ以上の長さを有することがよい。
【００４０】
また、本実施の形態における第二挟入柱４の高さの寸法は、足を足載せベース部２に載せたときの小趾１５の高さと略同一の高さとなっている。本実施の形態に限られず、第二挟入柱４の高さの寸法は、足を足載せベース部２に載せたときの小趾１５の高さより低くともよい。しかし、第二挟入柱４の高さの寸法は、小趾１５全体をまんべんなく矯正するため、小趾１５の第四趾側側面全体が、第二一挟入柱４に支えられるように小趾１５の高さと同様か、それ以上の高さを有することがよい。
【００４１】
本実施の形態における第二挟入柱４は、平面視縦長の楕円形状をしている。しかし、本実施の形態に限られることなく、第二挟入柱４は、第四趾１４と小趾１５の間に挟むことができれば他の形態でもよい。
また、本実施の形態において、第二挟入柱４は、軽度の内反小趾の場合又は内反小趾の予防を想定して形成しているため、その楕円形状の長径の向きを正常なときの小趾１５の指先方向と略平行の向きに構成している。しかし、本実施の形態に限られることなく、内反小趾を単に予防をするに過ぎないような状況を想定している場合には、第二挟入柱４は、その楕円形状の長径の向きを第四趾１４側に傾けた形状に形成してもよい。また、内反小趾の進行が進んでおり重度な矯正が必要な場合には、第二挟入柱４は、その楕円形状の長径の向きを踵に向かう方向（Ｂ方向）側から指先に向かう方向（Ａ方向）側にかけて第四趾側から小趾側に傾けた形状に形成してもよい。
【００４２】
次に、矯正具１を足に装着する動作の説明を行う。
本実施の形態における矯正具１を手に取り、母趾１１と第二趾１２との間を手で開き空間をつくり、その空間に第一挟入柱３を足裏側から入れ、母趾１１と第二趾１２に第一挟入柱３を挟み込む。次に、第四趾１４と小趾１５との間を手で開き空間をつくり、その空間に第二挟入柱４を足裏側から入れ、第四趾１４と小趾１５に第一挟入柱３を挟み込む。
足載せベース部２が空間部２０にはまっていることを確認し、履物や靴下をはくことができる。
【００４３】
以上の説明のように、矯正具１は、それを足に設置してもその幅は足幅と略同一であり、その奥行きは、足指の下の空間部２０にすべて収まるため、上部から見ても、第一挟入柱３と、第二挟入柱４のみしか見て取ることはできない。この状態で足指が完全に隠れる履物や、靴下をはくことで、外観からは、矯正具１を足に装着していることを確認することができない。このため、外反母趾であることを悟られることなく、屋外、屋内を問わずに継続的に使用することができる。
【００４４】
また、本実施の形態における矯正具１を履物に接着剤等で固定している場合以下の手順で装着する。
まず、母趾１１の指先と第二趾１２の指先の間を第一挟入柱３の踵に向かう方向（Ｂ方向）側の端部にあてる。また、小趾１５の指先と第四趾１４の指先の間を第２挟入柱４の踵に向かう方向（Ｂ方向）側の端部にあてる。
次に足１０をそのまま指先に向かう方向（Ａ方向）側に押圧する。一定の力が加わると、母趾１１は、第一挟入柱３の左側側面に、第二趾１２は、第一挟入柱３の右側側面に位置する。また、小趾１５は、第二挟入柱４の右側側面に、第四趾１４は、第二挟入柱４の左側側面に位置する。
さらに、足１０を指先に向かう方向（Ａ方向）側に押圧すると、第一挟入柱３は、母趾１１の第二趾側側面と第二趾の母趾側側面に挟まれ、第二挟入柱４は、小趾１５の第四趾側側面と第四趾の小趾側側面に挟まれる状態になる。
また、前記における装着する手順は、足を指先に向かう方向（Ａ方向）側に押圧する方法であるが、履物を踵に向かう方向（Ｂ方向）側に押圧し、装着してもよい。
【００４５】
〔他の実施の形態１〕
図５に従って、外反母趾及び／又は内反小趾の防止又は矯正をする矯正具の他の実施の形態１を説明する。図５は、他の実施の形態１の矯正具を示す説明図である。なお、この他の実施の形態では、前述した実施の形態と同一の部位には同一の符号を付与し詳細な説明を省略する。
外反母趾は、可逆期、拘縮期、進行期、又は終末期と段階を踏んで症状が悪化する。本実施の形態における矯正具１０１は、外反母趾又は内反小趾の進行が進み重度の症状、例えば拘縮期、進行期、又は終末期にかけた外反母趾の防止又は矯正をする構成をしている。
【００４６】
本実施の形態において、矯正具１０１は、しっかりと、母趾１１又は小趾１５を矯正し、支えるため比較的硬質な材料、例えばポリプロピレンで構成されていることが好ましい。
本実施の形態において、第一挟入柱１０３は、平面視楕円形状であり、その楕円形状の長径の向きを踵に向かう方向（Ｂ方向）側から指先に向かう方向（Ａ方向）側にかけて第二趾側から母趾側に傾けた形状に形成している。また、本実施の形態において、第二挟入柱１０４は、平面視楕円形状であり、その楕円形状の長径の向きを踵に向かう方向（Ｂ方向）側から指先に向かう方向（Ａ方向）側にかけて第四趾側から小趾側に傾けた形状に形成してもよい。つまり、図５に示すように、第一挟入柱１０３と第二挟入柱１０４が、平面視逆ハの字形状となっている。
【００４７】
本実施の形態は、外反母趾の進行が進み、母趾１１の内側の筋肉、関節包又は靱帯が縮んでしまった症状を改善するための構成である。つまり、詳しくは第一挟入柱１０３と第二挟入柱１０４を平面視逆ハの字形状とし、積極的に母趾１１の内側の筋肉、関節包又は靱帯を延すような構成としている。
【００４８】
〔他の実施の形態２〕
図６に従って、外反母趾及び／又は内反小趾の防止又は矯正をする矯正具の他の実施の形態２を説明する。図６は、他の実施の形態２の矯正具を示す説明図である。なお、この他の実施の形態では、前述した実施の形態と同一の部位には同一の符号を付与し詳細な説明を省略する。
本実施の形態における矯正具２０１は、外反母趾又は内反小趾の防止又は矯正にとどまらず、使用時に足指に適度な刺激を与える構成としている。
【００４９】
本実施の形態において、足載せベース部２０２の前方で、第一挟入柱２０３と第二挟入柱２０４の間に中央足載せ面２０２ｋが形成されている。中央足載せ面２０２ｋは、足載せベース部２０２の高さより低い位置に形成されており、第二趾１２、第三趾１３、及び第四趾１４の指先を載せることができる。
【００５０】
母趾載せ面２０２ｍは、第一挟入柱２０３の左側側面に形成されている。母趾載せ面２０２ｍは、中央指載せ面２０２ｋと略同一の高さの寸法で、母趾１１と略同一の形状に形成されている。
【００５１】
小趾載せ面２０２ｎは、第二挟入柱２０４の右側側面に形成されている。小趾載せ面２０２ｎは、中央指載せ面２０２ｋと略同一の高さの寸法で、小趾１５と略同一の形状に形成されている。
【００５２】
本実施の形態において、矯正具２０１を足指に挟み込んだ場合、足指が全体的に水平面より高い位置に位置するため、開張足の予防がはかれ、足にいわゆるタコやウオノメができにくくなる。また、歩くたびに、足指が、適度に刺激され心地よさを得ることができる。
【００５３】
〔他の実施の形態３〕
図７に従って、外反母趾及び／又は内反小趾の防止又は矯正をする矯正具の他の実施形態３を説明する。図７は、他の実施の形態３の矯正具を示す説明図である。なお、この他の実施の形態では、前述した実施の形態と同一の部位には同一の符号を付与し詳細な説明を省略する。
本実施の形態における矯正具３０１は、前記他の実施の形態２の矯正具２０１の母趾載せ面３０２ｍ、中央指載せ面３０２ｋ、及び小趾載せ面３０２ｎ上に突起９９を複数個設けた構成としている。
【００５４】
足指には様々なつぼがあることはよく知られていることである。そのため、母趾載せ面３０２ｍ、中央指載せ面３０２ｋ、及び小趾載せ面３０２ｎに複数の突起９９を設けていることで、歩行のたびに痛みを伴わない適度な刺激を受け、心地よさを得ることができる。
【００５５】
〔他の実施の形態４〕
図８、９に従って、外反母趾及び／又は内反小趾の防止又は矯正をする矯正具の他の実施の形態４を説明する。図８は、他の実施の形態４の矯正具を示す説明図であり、図９は、他の実施の形態４の矯正具の分解図である。なお、この他の実施の形態では、前述した実施の形態と同一の部位には同一の符号を付与し詳細な説明を省略する。
本実施の形態は、前記矯正具１をスリッパ５０に固定した構成である。図８に示すように、スリッパ５０は、甲部材５１、第一中敷５２、矯正具１、クッション部材５３、第二中敷５４、ヒール部材５５、及び底敷５６とから構成されている。
【００５６】
第一中敷５２は、足指をのせる位置の母趾１１と第二趾１２の間にあたる位置に第一挟入柱穴５２ａと、小趾１５と第四趾１４の間にあたる位置に第二挟入柱穴５２ｂと２箇所に穴が貫通している。第一中敷５２の裏面より矯正具１の第一挟入柱３を第一挟入柱穴５２ａに挿通し、第二挟入柱４を第二挟入穴５２ｂに挿通させる。このとき、矯正具１のベース上中央面３０２ａ、ベース上左面３０２ｂ、及びベース上右面３０２ｃに接着剤等を塗布し、矯正具１と第一中敷５２を固着させることが好ましい。また、矯正具１のベース裏面３０２ｇに接着剤等を塗布し、第二中敷５４に固着することも好ましい。
【００５７】
図８に示すように、上から、甲部材５１、第一中敷５２、矯正具１、クッション部材５３、第二中敷５４、ヒール部材５５、及び底敷５６を順に積み重ねておきそれぞれを接着剤、あるいは、縫合などにより一体にする。
【００５８】
本実施の形態における、矯正具１が固定されているスリッパ５０は、主に、室内で外反母趾の防止又は矯正を行うために使用をする。
なお、この実施の形態の説明は、矯正具１を第一中敷５２と第二中敷５４に挟んだ構成で説明を行ったが、矯正具１を挟む位置やスリッパの構成、材料等は、本実施の形態の構成に限定されないことはいうまでもない。又、矯正具を挟む履物は、スリッパに限定されないことはいうまでもない。
【００５９】
以上、本考案の実施の形態について説明したが、本考案は、この実施の形態に限定されることはない。本考案の目的、趣旨を逸脱しない範囲内で変更が可能であることはいうまでもない。
【図面の簡単な説明】
【００６０】
【図１】本考案の実施の形態の外反母趾及び／又は内反小趾の防止又は矯正をする矯正具の斜視図
【図２】本考案の実施の形態の外反母趾及び／又は内反小趾の防止又は矯正をする矯正具足の甲側から見た平面図
【図３】本考案の実施の形態の外反母趾及び／又は内反小趾の防止又は矯正をする矯正具の足の裏側から見た底面図
【図４】本考案の実施の形態の外反母趾及び／又は内反小趾の防止又は矯正をする矯正具の側面図
【図５】他の実施の形態１の外反母趾及び／又は内反小趾の防止又は矯正をする矯正具の斜視図
【図６】他の実施の形態２の外反母趾及び／又は内反小趾の防止又は矯正をする矯正具の斜視図
【図７】他の実施の形態３の外反母趾及び／又は内反小趾の防止又は矯正をする矯正具の斜視図
【図８】他の実施の形態４の外反母趾及び／又は内反小趾の防止又は矯正をする矯正具をスリッパにつけた状態を示す斜視図
【図９】他の実施の形態４の外反母趾及び／又は内反小趾の防止又は矯正をする矯正具を備えたスリッパの分解図
【符号の説明】
【００６１】
１…矯正具
２…足載せベース部
３…第一挟入柱
４…第二挟入柱
１０…足
１０ａ…母趾球
１０ｂ…中央球
１０ｃ…小趾球
１１…母趾
１２…第二趾
１３…第三趾
１４…第四趾
１５…小趾
【図１】
0003128227.tif 000003
【図２】
0003128227.tif 000004
【図３】
0003128227.tif 000005
【図４】
0003128227.tif 000006
【図５】
0003128227.tif 000007
【図６】
0003128227.tif 000008
【図７】
0003128227.tif 000009
【図８】
0003128227.tif 000010
【図９】
0003128227.tif 000011